(57)【要約】【課題】すべての室内機の運転を見越して充填した冷媒の一部を、冷媒回路の一部分に貯留し、状況の変化に応じて圧縮機に戻して、圧縮機の信頼性を満足させること。【解決手段】圧縮機２１と、四方弁２２と、室外熱交換器２３と、減圧器２４と、室内熱交換器４７とを具備した空気調和機において、前記四方弁２２と圧縮機２１の間に熱交換後の油を含む冷媒の気液混合体を貯留するアキュムレータ２５を配置し、このアキュムレータ２５内に、異なる戻し液高を設定した複数の戻し調整管３６ａ，３６ｂ，…を設け、これらの戻し調整管３６ａ，３６ｂ，…にそれぞれ運転状況に応じて選択的に開閉される電磁弁３７ａ，３７ｂ，…を介して戻し管３５に接続し、この戻し管３５を前記アキュムレータ２５と圧縮機２１の間に接続する。【選択図】図１
2010127482.tif 000002
【特許請求の範囲】
【請求項１】
圧縮機と、四方弁と、室外熱交換器と、減圧器と、室内熱交換器とを具備した空気調和機において、前記四方弁と圧縮機の間に熱交換後の油を含む冷媒の気液混合体を貯留するアキュムレータを配置し、このアキュムレータ内に、異なる戻し液高を設定した複数の戻し調整管を設け、これらの戻し調整管にそれぞれ運転状況に応じて選択的に開閉される電磁弁を介して戻し管に接続し、この戻し管を前記アキュムレータと圧縮機の間に接続したことを特徴とする空気調和機。
【請求項２】
空気調和機における最大負荷時の運転のために充填した油を含む冷媒量のうち、運転状況に応じた最適運転に必要な量を冷媒回路中で循環し、残りをアキュムレータに貯留するように複数の電磁弁を選択的に開閉制御するようにしたことを特徴とする請求項１記載の空気調和機。
【請求項３】
室外機に複数台の室内機を接続した場合において、油を含む冷媒の戻し液高を設定する複数の戻し調整管は、高い方から順次、室内機１台による冷房運転、室内機１台による暖房運転、接続されているすべての室内機による冷房運転、接続されているすべての室内機による暖房運転に対応せしめたことを特徴とする請求項１記載の空気調和機。
【請求項４】
室内機１台による暖房運転と接続されているすべての室内機による冷房運転のための戻し調整管とを兼用するようにしたことを特徴とする請求項３記載の空気調和機。
【請求項５】
室外機に複数台の室内機を接続した場合において、複数の電磁弁は、スキャニングされた室内機の実働運転台数に基づき選択的に開閉制御するようにしたことを特徴とする請求項１記載の空気調和機。
【請求項６】
複数の電磁弁は、圧縮機の油を含む冷媒の吐出温度の変化に基づき選択的に開閉制御するようにしたことを特徴とする請求項１記載の空気調和機。
【請求項７】
複数の電磁弁は、選択された戻し調整管の高さの電磁弁より高い戻し液高の戻し調整管の電磁弁を同時に開放するように制御するようにしたことを特徴とする請求項１記載の空気調和機。
【発明の詳細な説明】
【技術分野】
【０００１】
本発明は、接続されているすべての室内機の運転を見越して充填した油を含む冷媒の一部を、冷媒回路の一部分に貯留し、運転状況の変化に応じて任意に圧縮機に戻すことを可能にした空気調和機に関するものである。
【背景技術】
【０００２】
ＶＲＦ（ビル用マルチエアコン）システムでは、１又は複数の室外機に、多数の室内機を接続して運転される。例えば、室内機を１８台接続し、その配管長を１５０ｍとしたときを最大とした場合に、この最大接続時の運転状態において最適な運転ができるように、予め室外機の圧縮機用潤滑油を含む冷媒が冷媒回路中に充填される。ところが、実際に稼働する台数が最大台数に達していないにもかかわらず、すべての冷媒を冷媒回路中で循環させることは、運転効率を低下させるだけでなく、圧縮機の性能に悪影響を与える。そのため、運転状況に応じて冷媒の一部をアキュムレータに貯留しておくようになっている。そして、このアキュムレータに貯留されている冷媒は、室内機の台数が増えたときに圧縮機に戻される。
【０００３】
従来、軽負荷運転、通常負荷運転、過負荷運転等の種々の運転状態にかかわらず、常にアキュムレータより、圧縮機に潤滑油を含む冷媒を戻す方法が知られている（特許文献１）。
この特許文献１によれば、図４に示すように、アキュムレータ本体１０に、ガス吐出口１２を有するガス吐出管１１を貫通して設け、また、アキュムレータ本体１０の内部にガス吸込み口１４を有するガス吸込み管１３を貫通して設け、このガス吸込み管１３の圧縮機に接続される側にオリフィス１５を設け、前記アキュムレータ本体１０の底部には、高さを順次異ならせた第１油戻し管１６ａ、第２油戻し管１６ｂ、第３油戻し管１６ｃを設け、これらの油戻し管１６ａ、１６ｂ、１６ｃの他端部をガス吸込み管１３におけるオリフィス１５より後方に接続したものである。
【０００４】
以上のような構成における動作について、特許文献１には次のように記載されている。なお、従来例を示す図４は、特許文献１では第５図として表し、動作説明は第４図の場合について述べているので、以下の説明では、第５図の場合に対応するように一部を書き換えている。
「負荷が減少して、容量制御運転を行っている場合等には、アキュムレータ内の液面は、上昇し、油戻し管１６ａ、１６ｂ、１６ｃの各上端部は、液中にあるが、油戻し管１６ａの上端部は、潤滑油の密度の濃い冷媒液中、あるいは、低温の場合で、冷媒液と潤滑油が二相分離している場合には、潤滑油層部にあり、潤滑油は、差圧ＰＬ２−Ｐにより、冷媒ガスと共に圧縮機吸入口に続くガス吸込み管１３より、冷媒ガスと共に圧縮機に戻される。
また、通常の運転状態の場合で、液面が上述の場合ほど高くない場合にも、同様に、油戻し管１６ｂの上端部が潤滑油の密度の濃い冷媒液中あるいは、二相分離している場合には、潤滑油層部にあり、潤滑油を圧縮機に戻す。
また、過負荷運転で液面が低下した場合にも同様に、油戻し管１６ｃの上端部は、潤滑油密度の濃い冷媒液中、あるいは、二相分離している場合は、潤滑油層部にあり、潤滑油を圧縮機に戻す。
以上のように、軽負荷運転、通常運転、過負荷運転等の種々の運転状態の如何にかかわらず、常にアキュムレータより、圧縮機に潤滑油をもどすことができる。」
【特許文献１】実開昭５２−７０３１９号公報。
【発明の開示】
【発明が解決しようとする課題】
【０００５】
しかしながら、特許文献１に記載の方法には、次のような問題がある。
すなわち、３本の油戻し管１６ａ、１６ｂ、１６ｃがすべてアキュムレータ本体１０の内部で開口しているので、液面４６が第１油戻し管１６ａのｈ１よりも高いときは、最も低い第３油戻し管１６ｃのｈ３になるまで３本の油戻し管１６ａ，１６ｂ，１６ｃのすべてで油を含む冷媒が戻される。
液面４６が油戻し管１６ｂのｈ２よりもやや高いときも、油戻し管１６ｃのｈ３になるまで２本の油戻し管１６ｂ，１６ｃで油を含む冷媒が戻される。
液面４６が油戻し管１６ｃのｈ３よりもやや高いときは、油戻し管１６ｃのｈ３になるまで１本の油戻し管１６ｃで油を含む冷媒が戻される。
したがって、この特許文献１に記載の方法では、過負荷、通常負荷、軽負荷にかかわらず、油戻し管１６ｃのｈ３になるまで油を含む冷媒が戻される。このことは、過負荷、通常負荷、軽負荷に応じた油戻しの制御ができない、という問題がある。
【０００６】
本発明は、接続されているすべての室内機の運転を見越して充填した油を含む冷媒の一部を、冷媒回路の一部分に貯留し、運転状況の変化に応じて任意に圧縮機に戻すことにより、圧縮機における電力の無駄な消費を省き、信頼性を十分満足できる空気調和機を提供することを目的とするものである。
【課題を解決するための手段】
【０００７】
本発明の空気調和機は、圧縮機と、四方弁と、室外熱交換器と、減圧器と、室内熱交換器とを具備した空気調和機において、前記四方弁と圧縮機の間に熱交換後の油を含む冷媒の気液混合体を貯留するアキュムレータを配置し、このアキュムレータ内に、異なる戻し液高を設定した複数の戻し調整管を設け、これらの戻し調整管にそれぞれ運転状況に応じて選択的に開閉される電磁弁を介して戻し管に接続し、この戻し管を前記アキュムレータと圧縮機の間に接続したことを特徴とする。
【０００８】
空気調和機における最大負荷時の運転のために充填した油を含む冷媒量のうち、運転状況に応じた最適運転に必要な量を冷媒回路中で循環し、残りをアキュムレータに貯留するように電磁弁を開閉制御するようにしたことを特徴とする。
【０００９】
室外機に複数台の室内機を接続した場合において、油を含む冷媒の戻し液高を設定する複数の戻し調整管は、高い方から順次、室内機１台による冷房運転、室内機１台による暖房運転、接続されているすべての室内機による冷房運転、接続されているすべての室内機による暖房運転に対応せしめたことを特徴とする。
【００１０】
室内機１台による暖房運転と接続されているすべての室内機による冷房運転のための戻し調整管とを兼用するようにしたことを特徴とする。
【００１１】
室外機に複数台の室内機を接続した場合において、複数の電磁弁は、スキャニングされた室内機の実働運転台数に基づき選択的に開閉制御するようにしたことを特徴とする。
【００１２】
複数の電磁弁は、圧縮機の油を含む冷媒の吐出温度の変化に基づき選択的に開閉制御するようにしたことを特徴とする。
【００１３】
複数の電磁弁は、選択された戻し調整管の高さの電磁弁より高い戻し調整管の電磁弁を同時に開放するように制御することもできる。
【発明の効果】
【００１４】
請求項１記載の発明によれば、圧縮機と、四方弁と、室外熱交換器と、減圧器と、室内熱交換器とを具備した空気調和機において、前記四方弁と圧縮機の間に熱交換後の油を含む冷媒の気液混合体を貯留するアキュムレータを配置し、このアキュムレータ内に、異なる戻し液高を設定した複数の戻し調整管を設け、これらの戻し調整管にそれぞれ運転状況に応じて選択的に開閉される電磁弁を介して戻し管に接続し、この戻し管を前記アキュムレータと圧縮機の間に接続したので、空気調和機の最大負荷時を想定して充填した油を含む冷媒のうち、通常運転時、軽負荷時などに不必要な油を含む冷媒をアキュムレータ内に貯留して、運転状況に応じて、戻し液高が異なる複数の戻し調整管のいずれかを電磁弁で選択的に開放することにより、油を圧縮機に送ることができ、圧縮機の信頼性を十分満足することができる。
【００１５】
請求項２記載の発明によれば、空気調和機における最大負荷時の運転のために充填した油を含む冷媒量のうち、運転状況に応じた最適運転に必要な量を冷媒回路中で循環し、残りをアキュムレータに貯留するように複数の電磁弁を選択的に開閉制御するようにしたので、無駄な電力を使用せず、消費電力の少ない最適な運転が可能である。
【００１６】
請求項３記載の発明によれば、室外機に複数台の室内機を接続した場合において、油を含む冷媒の戻し液高を設定する複数の戻し調整管は、高い方から順次、室内機１台による冷房運転、室内機１台による暖房運転、接続されているすべての室内機による冷房運転、接続されているすべての室内機による暖房運転に対応せしめたので、過負荷時、通常負荷時、軽負荷時などあらゆる状況の変化に対処できる。
【００１７】
請求項４記載の発明によれば、室内機１台による暖房運転と接続されているすべての室内機による冷房運転のための戻し調整管とを兼用するようにしたので、戻し調整管の数を少なくして運転の制御を単純化できる。
【００１８】
請求項５記載の発明によれば、室外機に複数台の室内機を接続した場合において、複数の電磁弁は、スキャニングされた室内機の実働運転台数に基づき選択的に開閉制御するようにしたので、実際に駆動している負荷に対応した空気調和機としての効率を向上できる。
【００１９】
請求項６記載の発明によれば、複数の電磁弁は、圧縮機の油を含む冷媒の吐出温度の変化に基づき選択的に開閉制御するようにしたので、圧縮機を常に正常に駆動して無駄な運転をなくすることが出来る。
【００２０】
請求項７記載の発明によれば、複数の電磁弁は、選択された戻し調整管の高さの電磁弁より高い戻し液高の戻し調整管の電磁弁を同時に開放するように制御するようにしたので、速やかに油を圧縮機に戻し、圧縮機を含む可動部の損傷を防止し、かつ、速やかに所期の目的に応じた空気調和が出来る。したがって、ＶＲＦ（ビル用マルチエアコン）システムにおけるあらゆる状況の変化に対応して圧縮機の信頼性を十分満足できる空気調和機を提供することができる。
【発明を実施するための最良の形態】
【００２１】
本発明は、圧縮機と、四方弁と、室外熱交換器と、減圧器と、室内熱交換器とを具備した空気調和機において、前記四方弁と圧縮機の間に熱交換後の油を含む冷媒の気液混合体を貯留するアキュムレータを配置し、このアキュムレータ内に、異なる戻し液高を設定した複数の戻し調整管を設け、これらの戻し調整管にそれぞれ運転状況に応じて選択的に開閉される電磁弁を介して戻し管に接続し、この戻し管を前記アキュムレータと圧縮機の間に接続する。
【００２２】
空気調和機における最大負荷時の運転のために充填した油を含む冷媒量のうち、運転状況に応じた最適運転に必要な量を冷媒回路中で循環し、残りをアキュムレータに貯留するように複数の電磁弁を選択的に開閉制御する。具体的には、室外機に複数台の室内機を接続した場合であって、油を含む冷媒の戻し液高を設定する複数の戻し調整管は、高い方から順次、室内機１台による冷房運転、室内機１台による暖房運転、接続されているすべての室内機による冷房運転、接続されているすべての室内機による暖房運転に対応せしめる。
室内機１台による暖房運転と接続されているすべての室内機による冷房運転のための戻し調整管を兼用するようにしてもよい。
複数の電磁弁は、スキャニングされた室内機の実働運転台数又は圧縮機の冷媒混じりの吐油温度の変化の単独の情報に基づき選択的に開閉制御するようにしてもよい。
【００２３】
複数の電磁弁は、圧縮機の吐出温度の変化に基づき選択的に開閉制御するようにしてもよい。
また、複数の電磁弁は、選択された戻し調整管の高さの電磁弁より高い戻し液高の戻し調整管の電磁弁を同時に開放するように制御することもできる。
【実施例１】
【００２４】
本発明による空気調和機の実施例１を図１ないし図３に基づき説明する。
図１において、１８は、室外機で、冷房運転時に凝縮器として機能させ、暖房運転時に蒸発器として機能させる室外熱交換器２３と、圧縮機２１と、四方弁２２の他に、本発明特有のアキュムレータ２５を主たる構成要素とする。この室外機１８は、１台の例が図示されているが、複数台を並列接続したものであってもよい。
この室外機１８には、配管２０によって室内機１９が接続されている。
この室内機１９は、冷房運転時に蒸発器として機能させ、暖房運転時に凝縮器として機能させる室内熱交換器４７と減圧器２４とを直列に接続したそれぞれの室内機を複数台並列に接続して使用される。ＶＲＦ（ビル用マルチエアコン）システムでは、最大運転台数は、例えば、室内機の接続台数が１８台、配管長が１５０ｍとする。
【００２５】
前記圧縮機２１は、ロータリー型の可変速の第１圧縮機２１ａと、スクロール型の一定速の第２圧縮機２１ｂとを並列に接続したものである。第１圧縮機２１ａには、入口側にこの第１圧縮機２１ａのためのアキュムレータ２７が接続され、出口側に油分離器３０ａが接続され、第２圧縮機２１ｂには、出口側に油分離器３０ｂが接続されている。前記油分離器３０ａと油分離器３０ｂは、それぞれ逆止弁３２を介して四方弁２２のポートＡに結合されているとともに、電子膨張弁２８と毛細管２９を有するバイパス管３８に結合されている。また、前記第１圧縮機２１ａの循環路３１と油分離器３０ａの循環路３１には、それぞれ電子膨張弁２８と毛細管２９を介して第２圧縮機２１ｂの入口側に結合され、前記油分離器３０ｂの循環路３１が毛細管２９を介して前記アキュムレータ２７に結合されている。４３は、第１圧縮機２１ａと第２圧縮機２１ｂの本体側面と吐出端における油を含む冷媒の温度を検出する温度センサである。
【００２６】
前記四方弁２２のポートＢには、前記室外熱交換器２３の入口側が結合されている。この室外熱交換器２３には、冷房運転時の放熱と暖房運転時の吸熱を促進させるためのファン３９が設けられている。また、この室外熱交換器２３の本体側面と吐出端の２個所に温度センサ４３が取り付けられている。
【００２７】
前記室外熱交換器２３の出口側には、互いに並列に結合された逆止弁３２と開閉弁４０と電子膨張弁２８と圧力弁４１を介してサブクール熱交換器４２に結合されている。このサブクール熱交換器４２では、流れる冷媒の一部を熱交換して後述するガス吐出管３３に戻される。このサブクール熱交換器４２には、３個所に温度センサ４３が取り付けられている。
【００２８】
前記アキュムレータ２５は、一般的に油を含む冷媒を一時的に貯留するものであるが、本発明では、接続されているすべての室内機の運転を見越して充填した油を含む冷媒の一部を、このアキュムレータ２５に貯留し、状況の変化に応じて最適な運転状態となるように、貯留した油を含む冷媒を任意に圧縮機２１に戻して、圧縮機２１における電力の無駄な消費を省く役目を担っている。
【００２９】
このアキュムレータ２５には、前記四方弁２２のポートＣに結合されたガス吐出管３３が貫通し、先端の吐出口４４を気液分離のためにアキュムレータ２５の内壁に向けて設け、また、アキュムレータ２５の内部に吸込み口４５を有するガス吸込み管３４を貫通して設ける。このアキュムレータ２５の底部には、上端の開口部分の高さを順次異ならせた油を含む冷媒を戻すための４本の第１戻し調整管３６ａ，第２戻し調整管３６ｂ，第３戻し調整管３６ｃ，第４戻し調整管３６ｄを設け、これらの他端部に、それぞれ電磁弁３７ａ，電磁弁３７ｂ，電磁弁３７ｃ，電磁弁３７ｄを介在して戻し管３５に接続し、さらに必要に応じてガス化のための毛細管２９を経てこの戻し管３５を前記ガス吸込み管３４に接続したものである。
【００３０】
前記４本の第１戻し調整管３６ａ，第２戻し調整管３６ｂ，第３戻し調整管３６ｃ，第４戻し調整管３６ｄのそれぞれの上端の開口部分の高さは、室内機が実際に運転している台数に合わせてアキュムレータ２５に貯留する冷媒量を最適に設定するもので、例えば、１番目に高い第１戻し調整管３６ａは、室内機１台による冷房運転、２番目に高い第２戻し調整管３６ｂは、室内機１台による暖房運転、３番目に高い第３戻し調整管３６ｃは、接続されているすべての室内機による冷房運転、４番目に高い第４戻し調整管３６ｄは、接続されているすべての室内機による暖房運転におけるアキュムレータ２５に貯留するそれぞれの冷媒量に対応して設定される。
貯留する冷媒量の設定は、室内機が実際に運転している台数だけに限られるものではなく、その他配管の設置長さ、圧縮機での油を含む冷媒の吐出温度の変化、冷房か暖房かの運転モードの違い等、いずれか１又は２以上の状況変化の組合せにより複数段階に設定する。
また、第１、第２、第３、第４戻し調整管３６ａ，３６ｂ，３６ｃ，３６ｄのそれぞれに設けられた電磁弁３７ａ，３７ｂ，３７ｃ，３７ｄの開閉制御条件は、図示しないマイコンに記憶され、運転状況に応じた前記４段階に対応して選択的に切り替えられる。
【００３１】
戻し管３５を接続したガス吸込み管３４の他端部は、分流器２６で２つに分流されて前記第１圧縮機２１ａと第２圧縮機２１ｂ側に接続される。
【００３２】
次に空気調和機の動作を説明する。
冷房運転時には、四方弁２２のポートＡとＢが連通し、ポートＣとＤが連通するように切り替える（図１の実線矢印状態）。すると、油を含む冷媒は、第１、第２圧縮機２１ａ，２１ｂにより高圧過熱蒸気となり室外熱交換器２３に送られ、この室外熱交換器２３で蒸気が凝縮して放熱され、高圧飽和液となって逆止弁３２、電子膨張弁２８、サブクール熱交換器４２等を介在し、さらに配管２０により室内機１９の減圧器２４に送られる。この減圧器２４で低温の湿り蒸気となって室内熱交換器４７に供給され、この室内熱交換器４７で湿り蒸気が蒸発し、吸熱（冷房効果）をして低圧の飽和蒸気となって四方弁２２とアキュムレータ２５を経て第１、第２圧縮機２１ａ，２１ｂに戻される。
【００３３】
暖房運転時には、四方弁２２のポートＡとＤが連通し、ポートＢとＣが連通するように切り替える（図１の点線矢印状態）。すると、油を含む冷媒は、第１、第２圧縮機２１ａ，２１ｂにより高圧過熱蒸気となり室内機１９の室内熱交換器４７に送られ、この室内熱交換器４７で高圧過熱蒸気が凝縮し放熱（暖房効果）され、高圧飽和液となって減圧器２４で減圧され、サブクール熱交換器４２と電子膨張弁２８等を介在し、室外機１８の室外熱交換器２３に送られる。この室外熱交換器２３で湿り蒸気が蒸発し、吸熱をして低圧の飽和蒸気となって四方弁２２とアキュムレータ２５を経て第１、第２圧縮機２１ａ，２１ｂに戻される。
なお、第１、第２圧縮機２１ａ，２１ｂの運転時において、第１圧縮機２１ａよりも第２圧縮機２１ｂの吐出する油を含む冷媒の量が多いので、第１圧縮機２１ａ側から循環路３１を介して第２圧縮機２１ｂ側に油を供給し、油分離器３０ｂから第１圧縮機２１ａに油が循環している。
【００３４】
このような冷房又は暖房運転時における具体的開閉制御を説明する。
（１）最小負荷の冷房運転時、例えば室内機１台による冷房運転時に、図３に示すように、液面４６をＨ１に設定したものとすると、マイコンからの指令により１番目に高い第１戻し調整管３６ａの電磁弁３７ａを開放する。
この状態で運転すると、圧縮機２１の負圧により液面４６からＨ１までの油を含む冷媒が第１戻し調整管３６ａの上端開口部から吸引され、毛細管２９でガス化されてガス吸込み管３４からのガス冷媒とともに第１、第２圧縮機２１ａ，２１ｂへ送られる。従って、Ｈ１以下の油を含む冷媒はアキュムレータ２５内に貯留される。
【００３５】
（２）最小負荷の暖房運転時、例えば室内機１台による暖房運転時に、液面４６をＨ２に設定したものとすると、マイコンからの指令により２番目に高い第２戻し調整管３６ｂの電磁弁３７ｂを開放する。
この状態で運転すると、圧縮機２１の負圧により液面４６からＨ２までの油を含む冷媒が第１戻し調整管３６ｂの上端開口部から吸引され、毛細管２９でガス化されてガス吸込み管３４からのガス冷媒とともに第１、第２圧縮機２１ａ，２１ｂへ送られる。従って、Ｈ２以下の油を含む冷媒はアキュムレータ２５内に貯留される。
【００３６】
（３）最大負荷の冷房運転時、例えば接続されているすべての室内機による冷房運転時に、液面４６をＨ３に設定したものとすると、マイコンからの指令により３番目に高い第３戻し調整管３６ｃの電磁弁３７ｃを開放する。
この状態で運転すると、圧縮機２１の負圧により液面４６からＨ３までの油を含む冷媒が第１戻し調整管３６ｃの上端開口部から吸引され、毛細管２９でガス化されてガス吸込み管３４からのガス冷媒とともに第１、第２圧縮機２１ａ，２１ｂへ送られる。従って、Ｈ３以下の油を含む冷媒はアキュムレータ２５内に貯留される。
【００３７】
（４）最大負荷の暖房運転時、例えば接続されているすべての室内機による暖房運転時に、液面４６をＨ４に設定したものとすると、マイコンからの指令により４番目に高い第４戻し調整管３６ｄの電磁弁３７ｄを開放する。
この状態で運転すると、圧縮機２１の負圧により液面４６からＨ４までの油を含む冷媒が第１戻し調整管３６ｄの上端開口部から吸引され、毛細管２９でガス化されてガス吸込み管３４からのガス冷媒とともに第１、第２圧縮機２１ａ，２１ｂへ送られる。従って、Ｈ４以下の油を含む冷媒はアキュムレータ２５内に貯留される。
【００３８】
前記実施例１において、アキュムレータ２５内に高さの異なる４本の第１、第２、第３、第４戻し調整管３６を取り付けたが、本数は、これに限られるものではなく、複数本であれば５本以上でもよい。
また、２番目に高い第２戻し調整管３６ｂと３番目に高い第３戻し調整管３６ｃとを同一高さの１本にして全体で３本とし、室内機１台による暖房運転と接続されているすべての室内機による冷房運転のための戻し調整管を兼用するようにしてもよい。
前記実施例１では、圧縮機２１をロータリー型の第１圧縮機２１ａとスクロール型の第２圧縮機２１ｂの並列運転としたが、これに限られるものではなく、１台又は３台以上であってもよいし、圧縮機の型式にこだわるものでもない。
【００３９】
前記実施例１では、冷房運転と暖房運転の両機能を四方弁２２で切り替えて使用する空気調和機において、状況の変化に応じて第１戻し調整管３６ａ，第２戻し調整管３６ｂ，第３戻し調整管３６ｃ，第４戻し調整管３６ｄの高さの位置Ｈ１，Ｈ２，Ｈ３，Ｈ４を電磁弁３７の開閉で選択的に設定する例について説明した。
しかし、これに限られるものではなく、暖房運転専用の空気調和機であっても、余剰の油を含む冷媒をアキュムレータに貯留しておくことが望まれる場合がある。
冷房運転専用の空気調和機であっても同様である。
例えば、暖房運転専用の場合には、冷媒回路内を循環する油を含む冷媒量が多くなり、アキュムレータ２５内に貯留する冷媒の量が少なくなるが、そのため、第１戻し調整管３６ａ，第２戻し調整管３６ｂ，第３戻し調整管３６ｃ，第４戻し調整管３６ｄの高さの位置Ｈ１，Ｈ２，Ｈ３，Ｈ４を低い位置で細かく設定することでより細かな制御ができる。
同様に、冷房運転専用の場合には、冷媒回路内を循環する油を含む冷媒量が少なくなり、アキュムレータ２５内に貯留する冷媒の量が多くなるが、そのため、第１戻し調整管３６ａ，第２戻し調整管３６ｂ，第３戻し調整管３６ｃ，第４戻し調整管３６ｄの高さの位置Ｈ１，Ｈ２，Ｈ３，Ｈ４を高い位置で細かく設定することでより細かな制御ができる。
この結果、状況の変化に応じて任意に油を含む冷媒の戻し量を変更し、圧縮機での無駄な電力消費を可能な限り少なくし、かつ、信頼性の十分満足できる空気調和機を提供することができる。
【００４０】
前記実施例では、第１戻し調整管３６ａ，第２戻し調整管３６ｂ，第３戻し調整管３６ｃ，第４戻し調整管３６ｄをアキュムレータ２５の底部から立ち上がらせて設けたが、天井側から垂下しても、側方から水平又は斜めに設けてもよい。
【００４１】
室外機に複数台の室内機を接続した場合において、複数の電磁弁は、スキャニングされた室内機の実働運転台数に基づき選択的に開閉制御することができる。そのためには、複数台の室内機を並列に接続して構成された全体の室内機１９のうちどの室内機が現在稼働しているかどうかをそれぞれの駆動スイッチのオン・オフを一定時間毎にスキャニングするなどして駆動している室内機の台数を計数し、そのデータに基づき第１、第２、第３、第４戻し調整管３６ａ，３６ｂ，３６ｃ，３６ｄに接続された電磁弁３７ａ，３７ｂ，３７ｃ，３７ｄを選択的に開放してアキュムレータ２５の内部の冷媒の貯留量を設定する。
【００４２】
複数の電磁弁は、圧縮機の油を含む冷媒の吐出温度の変化に基づき選択的に開閉制御することができる。例えば、暖房運転時において、冷媒回路中の冷媒量が多くなると、第１、第２圧縮機２１ａ，２１ｂの吐出温度が次第に高くなり、いずれかの温度センサ４３の各検出値と基準値とを比較回路で比較する。より具体的には、第１圧縮機２１ａの本体側壁と吐出端の２個の温度センサ４３ａの吐出温度がともに設定値を超えると、測定値と基準値が比較回路で比較され、そのデータに基づきアキュムレータ２５の内部の冷媒の貯留量を少なくし、圧縮機への冷媒の戻し量を多くなるように、第１、第２、第３、第４戻し調整管３６ａ，３６ｂ，３６ｃ，３６ｄに接続された電磁弁３７ａ，３７ｂ，３７ｃ，３７ｄを選択的に開放する。第２圧縮機２１ｂについても同様である。また、第１、第２圧縮機２１ａ，２１ｂの４つの温度センサ４３の吐出温度がすべて設定値を超えたときも同様である。
【００４３】
複数の電磁弁は、選択された戻し調整管の高さの電磁弁より高い戻し液高の戻し調整管の電磁弁を同時に開放するように制御することができる。すなわち、第１、第２、第３、第４戻し調整管３６ａ，３６ｂ，３６ｃ，３６ｄに接続された各電磁弁３７ａ，３７ｂ，３７ｃ，３７ｄのうちのいずれか１つのみ選択的に開放するのではなく、選択された戻し調整管の高さの電磁弁より高い戻し液高の複数の戻し調整管の電磁弁を同時に開放することもできる。
【図面の簡単な説明】
【００４４】
【図１】本発明による空気調和機の一実施例を示す冷媒回路図である。
【図２】本発明による空気調和機に設けたアキュムレータ２５の液面４６をＨ３に設定した運転時の説明図である。
【図３】本発明による空気調和機に設けたアキュムレータ２５の液面４６をＨ１に設定した運転時の説明図である。
【図４】従来のアキュムレータ本体１０の説明図である。
【符号の説明】
【００４５】
１０…アキュムレータ本体、１１…ガス吐出管、１２…ガス吐出口、１３…ガス吸込み管、１４…ガス吸込み口、１５…オリフィス、１６…油戻し管、１６ａ…第１油戻し管、１６ｂ…第２油戻し管、１６ｃ…第３油戻し管、１７ａ…冷媒（油密度大）、１７ｂ…冷媒（油密度小）、１８…室外機、１９…室内機、２０…配管、２１…圧縮機、２１ａ…第１圧縮機、２１ｂ…第２圧縮機、２２…四方弁、２３…室外熱交換器、２４…減圧器、２５…アキュムレータ、２６…分流器、２７…アキュムレータ、２８…電子膨張弁、２９…毛細管、３０ａ…油分離器、３０ｂ…油分離器、３１…循環路、３２…逆止弁、３３…ガス吐出管、３４…ガス吸込み管、３５…戻し管、３６…戻し調整管、３６ａ…第１戻し調整管、３６ｂ…第２戻し調整管、３６ｃ…第３戻し調整管、３６ｄ…第４戻し調整管、３７…電磁弁、３７ａ…電磁弁、３７ｂ…電磁弁、３７ｃ…電磁弁、３７ｄ…電磁弁、３８…バイパス管、３９…ファン、４０…開閉弁、４１…圧力弁、４２…サブクール熱交換器、４３…温度センサ、４４…吐出口、４５…吸込み口、４６…液面、４７…室内熱交換器。
【図１】
2010127482.tif 000003
【図２】
2010127482.tif 000004
【図３】
2010127482.tif 000005
【図４】
2010127482.tif 000006